(57)【要約】【課題】洗濯物を効率良く配置して干すことが可能であり、使い勝手も良いピンチハンガーを提供する。【解決手段】クリップ１６が取り付けられた枠体１２と、枠体１２の上側の四隅に両端部が繋がれた互いに平行な一対の吊り下げ棒２６と、吊り下げ棒２６の各中央部に連結された中央吊り下げ棒２７と、中央吊り下げ棒２７の中心に回転可能に設けられたフック部材２８を備える。枠体１２の内側に、枠体１２の１辺と平行な軸を中心に揺動自在にクリップ保持板３０を有する。クリップ保持板３０の一側面には、クリップ１６が設けられ、クリップ保持板３０は、枠体１２の内側の空間内に収納可能に形成されている。【選択図】図１
2007181664.tif 000002
【特許請求の範囲】
【請求項１】
クリップが取り付けられた枠体と、前記枠体に取り付けられた吊下げ具を有し、前記吊り下げ具は、前記枠体上側の四隅に各々間隔を空けて繋がれ互いに平行な一対の吊り下げ棒と、この吊り下げ棒の各中央部に連結された中央吊り下げ棒と、この中央吊り下げ棒の中心に回転可能に設けられたフック部材から成ることを特徴とするピンチハンガー。
【請求項２】
前記枠体の内側に、前記枠体の１辺と平行な軸を中心に揺動自在にクリップ保持板が設けられ、このクリップ保持板の一側面に前記クリップが設けられていることを特徴とする請求項１記載のピンチハンガー。
【請求項３】
前記クリップ保持板は、前記枠体の内側の空間内に収納可能に形成されたことを特徴とする請求項２記載のピンチハンガー。
【発明の詳細な説明】
【技術分野】
【０００１】
この発明は、洗濯物を吊下げて干すときに使用するピンチハンガーに関する。
【背景技術】
【０００２】
従来、洗濯物を吊下げて干すピンチハンガーは、矩形や円形の枠体が設けられ、この枠体に複数のクリップが金属製の鎖やプラスチック製の紐体等で下げられて設けられている。そして枠体には、フック形等の吊下げ具が設けられている。このようなピンチハンガーの使用方法は、物干し竿等にこの吊下げ具をかけて下垂させ、クリップに洗濯物を挟んだ状態で乾かすものである。
【特許文献１】実開平６−３９０号公報
【特許文献２】実登３０８５１７２号公報
【発明の開示】
【発明が解決しようとする課題】
【０００３】
上記従来の技術の場合、クリップに洗濯物を吊り下げて干すこと以外の機能はないものであった。従って、より多くの洗濯物を効率良く干すことができるハンガーが求められていた。
【０００４】
この発明は、上記従来の技術の問題点に鑑みてなされたものであり、洗濯物を効率良く配置して干すことが可能であり、使い勝手も良いピンチハンガーを提供することを目的とする。
【課題を解決するための手段】
【０００５】
本願発明は、クリップが取り付けられた枠体と、前記枠体に取り付けられた吊下げ具を有し、前記吊り下げ具は、前記枠体上側の四隅に各々間隔を空けて両端部が繋がれ、互いに平行な一対の吊り下げ棒と、この吊り下げ棒の各中央部に連結された中央吊り下げ棒と、この中央吊り下げ棒の中心に回転可能に設けられたフック部材から成るピンチハンガーである。
【０００６】
さらに、前記枠体の内側に、前記枠体の１辺と平行な軸を中心に揺動自在にクリップ保持板が設けられ、このクリップ保持板の一側面に前記クリップが設けられたものである。また、前記クリップ保持板は、前記枠体の内側の空間内に収納可能に形成されたものである。
【発明の効果】
【０００７】
本発明のピンチハンガーは、クリップに洗濯物を吊り下げて干すことに加えて、枠体と吊り下げ具との間にセーター等を干すことができ、効率良く洗濯物を配置して干すことができる。これにより、洗濯物を干す空間を多く必要とせず、ベランダ等においても沢山の洗濯物を干すことができるものである。
【発明を実施するための最良の形態】
【０００８】
以下、この発明の実施形態について図面に基づいて説明する。図１はこの発明の第一実施形態を示すもので、この実施形態のピンチハンガー１０は、台形の板であるクリップ保持部材１４を４枚組んで、四角形の枠体１２が作られ、クリップ保持部材１４はその側面が斜め上方に面して傾斜し、その外側斜面にクリップ１６が取り付けられている。クリップ保持部材１４は、枠体１２の上辺部１２ａと下辺部１２ｂを結ぶ傾斜が、斜めに中心側上方を向いて傾斜するように互いに固定されている。
【０００９】
クリップ１６は、一対の長方形板状等の挟持部材１８から成り、挟持部材１８の長手方向に対して交差する幅は、やや広めに形成されている。一対の挟持部材１８は、ほぼ中心に軸受けが互いに対向して突出して形成され、軸受け同士に軸部材が挿通されて軸受けを中心に揺動する。挟持部材１８には金属製のバネ部材２０が取り付けられ、挟持部材１８の一端部同士が所定角度で互いに付勢されて当接している。なお、この付勢されて当接する端部を、挟持用端部２２とする。
【００１０】
クリップ１６は、その挟持用端部２２が下方を向いた状態で枠体１２のクリップ保持部材１４に固定されている。クリップ保持部材１４の傾斜は、枠体１２の下端縁を含む仮想の面に対して、垂直方向との角度が、クリップ１６の一対の挟持部材１８が成す角度とほぼ等しい。このため、クリップ保持部材１４に取り付けられたクリップ１６は、クリップ保持部材１４側とは反対側の挟持部材１８の外側面１８ａが、吊り下げ状態でほぼ鉛直方向に位置している。
【００１１】
枠体１２に取り付けられるクリップ１６の数は、例えば図１に示すように枠体１２が長方形の場合、長辺には３個ずつ、短辺には２個ずつ設けられている。なお、クリップ１６の数は限定されず、自由に変更可能である。
【００１２】
枠体１２のクリップ保持部材１４には、上側の四隅に吊り下げ用の紐２４が設けられ、紐２４の先端部に、ほぼ枠体１２の１辺と等しく枠体１２内に収納可能な長さの吊り下げ棒２６が、互いに平行に取り付けられている。一対の吊り下げ棒２６の中央部には、枠体１２の他方の辺の長さとほぼ等しい１本の中央吊り下げ棒２７が固定され、中央吊り下げ棒２７の中心部にフック部材２８が固定されている。
【００１３】
また、枠体１２の内側には、内部空間を３等分してほぼ塞ぐように、３枚のクリップ保持板３０が回転自在に設けられている。このクリップ保持板３０は、網目構造に形成され、回転軸３１が枠体１２に軸支され、図１の裏面側に図示しないクリップが取り付けられている。そして、図示するように、クリップ保持板３０が水平方向に位置して係止されるとともに、枠体１２に対して所定角度に斜めに揺動した位置でも係止される。また、枠体１２の上縁部には、収納時に中央吊り下げ棒２７の両端を保持する凹部３２が形成されている。
【００１４】
なお、この実施形態のピンチハンガー１０に、仮想線で示すような物干し棒３４が水平方向に設けられていても良い。この場合も、物干し棒３４の位置は、クリップ保持板１４の範囲内の位置で、水平方向に配置されている。
【００１５】
次に、この実施形態のピンチハンガー１０の使用方法について説明する。ピンチハンガー１０の吊下げ具２８を、物干し竿等任意の部材にかけてピンチハンガー１０を吊下げる。そしてクリップ１６に洗濯物を挟んで、吊るして乾かす。さらに、セーター等を干す場合は、クリップ保持板３０を水平位置に係止して、セーターを載せて乾かす。また、クリップ保持板３０を所定角度にして、図示しない裏面側のクリップに洗濯物を吊り下げても良く、クリップ保持板３０を水平にした状態でそのクリップに靴下等を挟んで干すとともに、セーター等をクリップ保持板３０の上で干しても良い。
【００１６】
この実施形態のピンチハンガー１０によれば、吊り下げ棒２６が邪魔にならず、枠体１２内にセーター等を干すとともに、クリップ１６により他のものを吊り下げて干すことができ、多くの洗濯物を効率良く干すことができる。また、クリップ１６が枠体１２に直接取り付けられているため、クリップ１６同士、またはクリップ１６と、枠体１２、吊り下げ棒２６，２７、吊下げ具２８等と、他の物干し用具、洗濯カゴの目等が絡まることがなく、洗濯物を干す作業効率が良く便利である。さらに、クリップ１６の挟持部材１８は、外側面１８ａがほぼ垂直方向に設けられているため、クリップ１６を開けたり閉めたりする操作が容易である。クリップ１６の挟持用端部２２は、作業者がピンチハンガー１０の側方に立ったときに作業者のほうへ向くため、挟持用端部２２が見やすくなり、洗濯物を干しやすくなる。また、収納時はクリップ保持板３０が枠体１２内で倒されて収納され、邪魔にならない。
【００１７】
なお、この発明のピンチハンガーは、上記各実施形態に限定されるものではなく、図２に示すように、にクリップ保持板３０にクリップ１６が紐やチェーン等の連結部材３６を介して設けられたものでも良い。この場合、クリップ保持板３０の連結部材３６が取り付けられた面の反対側は、止め具等の突起がない平面に形成されている。また、クリップ保持板３０は網目構造が好ましいが、それ以外のものでも良い。さらにクリップの形状や大きさ、構造、取り付ける数は、適宜変更可能である。クリップ保持部材や吊下げ具の形状や構造も適宜変更可能である。クリップを枠体の外側の側面ではなく、内側の側面に設けてもよい。
【図面の簡単な説明】
【００１８】
【図１】この発明の一実施形態のピンチハンガーの斜視図である。
【図２】この発明の他の実施形態のクリップ保持板の斜視図である。
【符号の説明】
【００１９】
１０  ピンチハンガー
１２  枠体
１４  クリップ保持部材
１６  クリップ
１８  挟持部材
２２  挟持用端部
２６，２７  吊り下げ棒
２８  フック部材
３０  クリップ保持板
【図１】
2007181664.tif 000003
【図２】
2007181664.tif 000004